(57)【要約】【課題】十分なバックフォーカスを有するとともに、高い光学性能を備えた、小型の魚眼レンズを提供する。【解決手段】この魚眼レンズは、物体側から順に、正の屈折力を有する前群Ｇ11と、光学的絞りＳと、正の屈折力を有する後群Ｇ12と、を備えている。後群Ｇ12は、前群Ｇ11に対して間隔をあけて配置されている。特に、前群Ｇ11は、物体側から順に、負の屈折力を有する第１レンズＬ111と、正の屈折力を有する第２レンズＬ112と、負の屈折力を有する第３レンズＬ113と、正の屈折力を有する第４レンズＬ114と、が配置されて構成される。そして、所定の条件を満足することにより、十分なバックフォーカスを有するとともに、高い光学性能を備えた、小型の魚眼レンズを実現することができる。【選択図】図１
2013238684.tif 000002
【特許請求の範囲】
【請求項１】
物体側から順に、複数の負レンズ成分を有し全体として負または正の屈折力を有する前群と、光学的絞りと、前記前群に対して軸上間隔をあけて配置され全体として正の屈折力を有する後群と、を備え、
以下に示す条件式を満足することを特徴とする魚眼レンズ。
（１）  ９．０≦｜ｆ１｜／Ｇｎ１Ｂ
（２）  ０．３３≦（Ｇｎ１Ｂ＋Ｇｎ２Ｂ）／Σｄ≦０．７０
ただし、ｆ１は前記前群の焦点距離、Ｇｎ１Ｂは前記前群における、負レンズ成分として最も物体側に配置されたレンズから次のレンズ成分までの空気間隔、Ｇｎ２Ｂは前記前群における、負レンズ成分として物体側から２番目に配置されたレンズから次のレンズ成分までの空気間隔、Σｄは前記魚眼レンズにおける、最も物体側のレンズ面から最も像側のレンズ面までの距離を示す。
【請求項２】
以下に示す条件式を満足することを特徴とする請求項１に記載の魚眼レンズ。
（３）  ６００≦ＢＦ／（ｆ／｜ｆ１｜）
ただし、ＢＦは前記魚眼レンズのバックフォーカス、ｆは前記魚眼レンズ全系の焦点距離、ｆ１は前記前群の焦点距離を示す。
【発明の詳細な説明】
【技術分野】
【０００１】
本発明は、魚眼レンズに関し、デジタルカメラ、特にデジタル一眼レフカメラに適した小型の魚眼レンズに関する。
【背景技術】
【０００２】
魚眼レンズは、特別な射影方式によって像が形成されることから科学等、特定の目的に限って使用されるものであった。しかし、近年では、その特別な射影方式によってもたらされる負の歪曲収差の効果をねらって他の目的のために使用することも増えてきた。そこで、近年、広く普及している、高画素化が進んだ撮像素子を搭載したデジタル機器にも使用できる光学性能の優れた魚眼レンズも提案されている（たとえば、下記特許文献１を参照。）。
【０００３】
様々な用途に用いられるようになった魚眼レンズであるが、用途の一つとして一眼レフカメラにも用いられている。近年、一眼レフカメラも、３５ｍｍフィルムサイズの一眼レフカメラに替わって、ＡＰＳ−Ｃフォーマット以下の小型の撮像素子を搭載したデジタル一眼レフカメラが主流になってきている。
【０００４】
ところで、３５ｍｍフィルムサイズの一眼レフカメラに適した魚眼レンズを画面サイズの小さいデジタル一眼レフカメラに装着すると、著しく対角画角が狭くなり、魚眼レンズ特有の効果を得ることが困難となる。この場合、魚眼レンズを比例縮小することにより、撮像素子に応じた対角画角を確保することは可能ではある。しかし、デジタル一眼レフカメラに装着するにはバックフォーカスが短くなりすぎ、クイックリターンミラーに干渉するおそれがある。
【０００５】
特許文献１に開示されている魚眼レンズは、小型でありながら、優れた収差補正能力を備えている。しかしながら、この魚眼レンズは、十分なバックフォーカスを確保できないことから、デジタル一眼レフカメラには不適である。そこで、デジタル一眼レフカメラにも用いることが可能な魚眼レンズが提案されている（たとえば、下記特許文献２，３を参照。）。
【先行技術文献】
【特許文献】
【０００６】
【特許文献１】特許第４６３３３７９号公報
【特許文献２】特開２００９−５８８１７号公報
【特許文献３】特許第４４３２３３０号公報
【発明の概要】
【発明が解決しようとする課題】
【０００７】
特許文献２に開示された魚眼レンズは、十分なバックフォーカスに加え、優れた収差補正能力を備えている。しかしながら、光学系全長の短縮化が不十分である。すなわち、この魚眼レンズは、物体側に配置された２枚ないしは３枚の負レンズとその後群との間隔を広く保つことにより、負レンズのパワーを活かした収差補正とバックフォーカスの確保がなされているが、結果として全長が長くなっている。したがって、より小型化が要望されている昨今のデジタル一眼レフカメラには不向きである。
【０００８】
特許文献３に開示された魚眼レンズは、小型で、十分なバックフォーカスが確保されている。しかしながら、特に非点収差やコマ収差に対する補正が不十分である。この魚眼レンズにおいては、バックフォーカスを確保するために、絞りより物体側に配置されている前群の負のパワーが強くなっているため、後群の正のパワーも強めざるを得ず、結果として収差補正が不十分になっている。
【０００９】
本発明は、上述した従来技術による問題点を解消するため、十分なバックフォーカスを有するとともに、高い光学性能を備えた、小型の魚眼レンズを提供することを目的とする。
【課題を解決するための手段】
【００１０】
上述した課題を解決し、目的を達成するため、本発明にかかる魚眼レンズは、物体側から順に、複数の負レンズ成分を有し全体として負または正の屈折力を有する前群と、光学的絞りと、前記前群に対して軸上間隔をあけて配置され全体として正の屈折力を有する後群と、を備え、以下の条件を満足することを特徴とする。
（１）  ９．０≦｜ｆ１｜／Ｇｎ１Ｂ
（２）  ０．３３≦（Ｇｎ１Ｂ＋Ｇｎ２Ｂ）／Σｄ≦０．７０
ただし、ｆ１は前記前群の焦点距離、Ｇｎ１Ｂは前記前群における、負レンズ成分として最も物体側に配置されたレンズから次のレンズ成分までの空気間隔、Ｇｎ２Ｂは前記前群における、負レンズ成分として物体側から２番目に配置されたレンズから次のレンズ成分までの空気間隔、Σｄは前記魚眼レンズにおける、最も物体側のレンズ面から最も像側のレンズ面までの距離を示す。
【００１１】
本発明によれば、十分なバックフォーカスを有するとともに、より高い光学性能を備えた、より小型の魚眼レンズを提供することができる。本発明によれば、近年、より小型で高い光学性能が求められるデジタルカメラ、特にデジタル一眼レフカメラに好ましい魚眼レンズを提供することができる。
【００１２】
本発明にかかる魚眼レンズは、前記発明において、さらに、以下に示す条件式を満足することを特徴とする。
（３）  ６００≦ＢＦ／（ｆ／｜ｆ１｜）
ただし、ＢＦは前記魚眼レンズのバックフォーカス、ｆは前記魚眼レンズ全系の焦点距離、ｆ１は前記前群の焦点距離を示す。
【００１３】
本発明によれば、十分なバックフォーカスを有するとともに、高い光学性能を備えた、小型の魚眼レンズを提供することができる。
【発明の効果】
【００１４】
本発明によれば、十分なバックフォーカスを有するとともに、高い光学性能を備えた、小型の魚眼レンズを提供することができるという効果を奏する。本発明の魚眼レンズは、小型のデジタルカメラ、特にデジタル一眼レフカメラに適している。
【図面の簡単な説明】
【００１５】
【図１】実施例１にかかる魚眼レンズの構成を示す光軸に沿う断面図である。
【図２】実施例１にかかる魚眼レンズのｄ線に対する諸収差図である。
【図３】実施例２にかかる魚眼レンズの構成を示す光軸に沿う断面図である。
【図４】実施例２にかかる魚眼レンズのｄ線に対する諸収差図である。
【図５】実施例３にかかる魚眼レンズの構成を示す光軸に沿う断面図である。
【図６】実施例３にかかる魚眼レンズのｄ線に対する諸収差図である。
【図７】実施例４にかかる魚眼レンズの構成を示す光軸に沿う断面図である。
【図８】実施例４にかかる魚眼レンズのｄ線に対する諸収差図である。
【図９】実施例５にかかる魚眼レンズの構成を示す光軸に沿う断面図である。
【図１０】実施例５にかかる魚眼レンズのｄ線に対する諸収差図である。
【発明を実施するための形態】
【００１６】
以下、本発明にかかる魚眼レンズの好適な実施の形態を詳細に説明する。
【００１７】
本発明にかかる魚眼レンズは、物体側から順に、複数の負レンズ成分を有し全体として負または正の屈折力を有する前群と、光学的絞りと、前群に対して軸上間隔をあけて配置され全体として正の屈折力を有する後群と、を備えている。
【００１８】
本発明は、近年、高画素化が著しい撮像素子が搭載された小型のデジタルカメラ、特にデジタル一眼レフカメラに適した小型の魚眼レンズを提供することを目的としている。この目的を達成するために、魚眼レンズには、十分なバックフォーカスと、高い光学性能が要求される。そこで、本発明では、かかる要求に応えるため、以下に示すような各種条件を設定している。
【００１９】
まず、本発明にかかる魚眼レンズでは、魚眼レンズの前群の焦点距離をｆ１、前群における、負レンズ成分として最も物体側に配置されたレンズから次のレンズ成分までの空気間隔をＧｎ１Ｂ、前群における、負レンズ成分として物体側から２番目に配置されたレンズから次のレンズ成分までの空気間隔をＧｎ２Ｂ、魚眼レンズにおける、最も物体側のレンズ面から最も像側のレンズ面までの距離をΣｄとするとき、次の条件式を満足することが好ましい。
（１）  ９．０≦｜ｆ１｜／Ｇｎ１Ｂ
（２）  ０．３３≦（Ｇｎ１Ｂ＋Ｇｎ２Ｂ）／Σｄ≦０．７０
【００２０】
条件式（１）は、前群の焦点距離と、前群における、負レンズ成分として最も物体側に配置されたレンズから次のレンズ成分までの空気間隔との比を規定する式である。また、条件式（２）は、前群における、負レンズ成分として最も物体側に配置されたレンズから次のレンズ成分までの空気間隔と負レンズ成分として物体側から２番目に配置されたレンズから次のレンズ成分までの空気間隔との和と、光学系全長との比を規定する式である。
【００２１】
収差補正の観点からは、前群内の負レンズ成分以降の空気間隔をある程度確保することが望ましい。一方で、光学系全長の短縮という観点からは、前群内の負レンズ成分以降の空気間隔は短いほどよい。そこで、本発明では、双方のバランスを考慮し、上記条件式（１），（２）を設定した。上記条件式（１），（２）をともに満足することにより、良好な収差補正と光学系全長の短縮が可能となる。上記条件式（１），（２）においていずれか一方でもその範囲外になると、前群の負レンズ成分以降の空気間隔が不十分となって負レンズのパワーを十分に活かせず、結果として非点収差やコマ収差に対する補正が不十分になる。
【００２２】
なお、上記条件式（１），（２）は、次に示す範囲を満足すると、より良好な収差補正と光学系全長の短縮が期待できる。
（１ａ）  １１．０≦｜ｆ１｜／Ｇｎ１Ｂ
（２ａ）  ０．３５≦（Ｇｎ１Ｂ＋Ｇｎ２Ｂ）／Σｄ≦０．６０
条件式（１ａ），（２ａ）で規定する範囲を満足することで、バックフォーカスを十分に確保したうえで、より高い収差補正能力を備えた、より小型の魚眼レンズを実現することができる。
【００２３】
さらに、好ましくは、上記条件式（１ａ），（２ａ）は、次に示す範囲を満足するとよい。
（１ｂ）  ４０．０≦｜ｆ１｜／Ｇｎ１Ｂ
（２ｂ）  ０．３６≦（Ｇｎ１Ｂ＋Ｇｎ２Ｂ）／Σｄ≦０．５０
条件式（１ｂ），（２ｂ）で規定する範囲を満足することで、バックフォーカスを十分に確保したうえで、収差補正と光学系全長の短縮とをよりバランスよく両立させることが可能になる。
【００２４】
また、本発明にかかる魚眼レンズでは、魚眼レンズのバックフォーカスをＢＦ、魚眼レンズ全系の焦点距離をｆ、魚眼レンズの前群の焦点距離をｆ１とするとき、次の条件式を満足することが好ましい。
（３）  ６００≦ＢＦ／（ｆ／｜ｆ１｜）
【００２５】
条件式（３）は、光学系全系の焦点距離と、前群の焦点距離と、バックフォーカスとの関係を規定する式である。条件式（３）においてその下限値を下回ると、以下のような不都合が生じる。まず、バックフォーカスを十分に確保できない。この場合、クイックリターンミラーに干渉するおそれがあり、デジタル一眼レフカメラに用いることができなくなる。また、前群に負の屈折力が付与されている場合には、その負の屈折力が強くなり過ぎ、光学系のバランスを保つためには後群の正の屈折力を強めざるを得ず、結果として諸収差、特に非点収差やコマ収差に対する補正が不十分になる。加えて、光学系の全長が延び、魚眼レンズの小型化が困難になる。一方、前群に正の屈折力が付与されている場合には、その正の屈折力が強くなり過ぎる。こうなると、もはや魚眼レンズとして成立させることが困難になる。
【００２６】
なお、上記条件式（３）は、次に示す範囲を満足すると、より好ましい効果が期待できる。
（３ａ）  ７００≦ＢＦ／（ｆ／｜ｆ１｜）
この条件式（３ａ）で規定する範囲を満足することで、バックフォーカスを十分に確保したうえで、より高い収差補正能力を備えた、より小型の魚眼レンズを実現することができる。
【００２７】
さらに、好ましくは、上記条件式（３ａ）は、次に示す範囲を満足するとよい。
（３ｂ）  １０００≦ＢＦ／（ｆ／｜ｆ１｜）
この条件式（３ｂ）で規定する範囲を満足することで、バックフォーカスを十分に確保したうえで、極めて高い収差補正能力を備えた、デジタル一眼レフカメラに最適な小型の魚眼レンズを実現することができる。
【００２８】
以上説明したように、本発明にかかる魚眼レンズは、上記条件式を満足することにより、十分なバックフォーカスを有するとともに、高い光学性能を備えた、小型の魚眼レンズになる。この魚眼レンズは、小型のデジタルカメラ、特にデジタル一眼レフカメラに適している。また、この魚眼レンズは、デジタルカメラのみならず、従来の３５ｍｍフィルムサイズの一眼レフカメラにも搭載することができる。
【００２９】
本発明では、条件式（１），（２）を満足するか、または条件式（３）を満足すれば、十分に上記目的を達成することができる。しかし、条件式（１）〜（３）をすべて満足することにより、デジタル一眼レフカメラ用として、より理想的な高い光学性能を備えた、小型の魚眼レンズを実現することができる。
【００３０】
以下、本発明にかかる魚眼レンズの実施例を図面に基づき詳細に説明する。なお、以下の実施例により本発明が限定されるものではない。
【実施例１】
【００３１】
図１は、実施例１にかかる魚眼レンズの構成を示す光軸に沿う断面図である。この魚眼レンズは、図示しない物体側から順に、正の屈折力を有する前群Ｇ11と、光学的絞りＳと、正の屈折力を有する後群Ｇ12と、を備えている。後群Ｇ12は、前群Ｇ11に対して間隔をあけて配置されている。
【００３２】
前群Ｇ11は、物体側から順に、負の屈折力を有する第１レンズＬ111と、正の屈折力を有する第２レンズＬ112と、負の屈折力を有する第３レンズＬ113と、正の屈折力を有する第４レンズＬ114と、が配置されて構成される。
【００３３】
後群Ｇ12は、物体側から順に、負の屈折力を有する第１レンズＬ121と、正の屈折力を有する第２レンズＬ122と、正の屈折力を有する第３レンズＬ123と、負の屈折力を有する第４レンズＬ124と、正の屈折力を有する第５レンズＬ125と、が配置されて構成される。第１レンズＬ121と第２レンズＬ122とは、接合されている。また、第３レンズＬ123と第４レンズＬ124とも、接合されている。
【００３４】
以下、実施例１にかかる魚眼レンズに関する各種数値データを示す。
【００３５】
ｆ（魚眼レンズ全系の焦点距離）＝10.21
Ｆｎｏ．（Ｆナンバー）＝2.88
２ω（画角）＝181.00
【００３６】
（レンズデータ）
ｒ1＝56.405
ｄ1＝2.000    ｎｄ1＝1.773    νｄ1＝49.62
ｒ2＝14.086
ｄ2＝12.528
ｒ3＝130.190
ｄ3＝2.807    ｎｄ2＝1.847    νｄ2＝23.78
ｒ4＝-101.634
ｄ4＝1.200
ｒ5＝-49.961
ｄ5＝1.500    ｎｄ3＝1.773    νｄ3＝49.62
ｒ6＝14.033
ｄ6＝10.827
ｒ7＝23.432
ｄ7＝3.291    ｎｄ4＝1.673    νｄ4＝32.17
ｒ8＝-46.771
ｄ8＝8.000
ｒ9＝∞（絞り）
ｄ9＝2.000
ｒ10＝-81.119
ｄ10＝1.000    ｎｄ5＝1.835    νｄ5＝42.72
ｒ11＝13.620
ｄ11＝3.666    ｎｄ6＝1.569    νｄ6＝56.04
ｒ12＝-26.901
ｄ12＝0.200
ｒ13＝76.761
ｄ13＝4.781    ｎｄ7＝1.517    νｄ7＝64.20
ｒ14＝-9.796
ｄ14＝1.000    ｎｄ8＝1.904    νｄ8＝31.32
ｒ15＝-26.947
ｄ15＝0.200
ｒ16＝4557.962
ｄ16＝5.000    ｎｄ9＝1.517    νｄ9＝64.20
ｒ17＝-15.544
ｄ17＝35.000
ｒ18＝∞（結像面）
【００３７】
（条件式（１）に関する数値）
Ｇｎ１Ｂ（第１レンズＬ111から第２レンズＬ112までの空気間隔）＝12.53
｜ｆ１｜／Ｇｎ１Ｂ＝107.18
【００３８】
（条件式（２）に関する数値）
Ｇｎ２Ｂ（第２レンズＬ112から第３レンズＬ113までの空気間隔）＝10.83
Σｄ（光学系全長）＝60.00
（Ｇｎ１Ｂ＋Ｇｎ２Ｂ）／Σｄ＝0.39
【００３９】
（条件式（３）に関する数値）
ＢＦ（バックフォーカス）＝35.00
ｆ１（前群Ｇ11の焦点距離）＝1342.77
ＢＦ／（ｆ／｜ｆ１｜）＝4601.00
【００４０】
図２は、実施例１にかかる魚眼レンズのｄ線（λ＝５８７．５６ｎｍ）に対する諸収差図である。なお、非点収差図におけるＳ，Ｍは、それぞれサジタル像面、メリディオナル像面に対する収差を表す。また、歪曲収差図では、等立体角射影方式（Ｙ＝２×ｆ×ｓｉｎ（θ／２)）によるズレ量を表示している（Ｙ：像高、ｆ：光学系全系の焦点距離、θ：半画角）。
【実施例２】
【００４１】
図３は、実施例２にかかる魚眼レンズの構成を示す光軸に沿う断面図である。この魚眼レンズは、図示しない物体側から順に、負の屈折力を有する前群Ｇ21と、光学的絞りＳと、正の屈折力を有する後群Ｇ22と、を備えている。後群Ｇ22は、前群Ｇ21に対して間隔をあけて配置されている。
【００４２】
前群Ｇ21は、物体側から順に、負の屈折力を有する第１レンズＬ211と、負の屈折力を有する第２レンズＬ212と、正の屈折力を有する第３レンズＬ213と、が配置されて構成される。
【００４３】
後群Ｇ22は、物体側から順に、負の屈折力を有する第１レンズＬ221と、正の屈折力を有する第２レンズＬ222と、正の屈折力を有する第３レンズＬ223と、負の屈折力を有する第４レンズＬ224と、正の屈折力を有する第５レンズＬ225と、が配置されて構成される。第１レンズＬ221と第２レンズＬ222とは、接合されている。また、第３レンズＬ223と第４レンズＬ224とも、接合されている。
【００４４】
以下、実施例２にかかる魚眼レンズに関する各種数値データを示す。
【００４５】
ｆ（魚眼レンズ全系の焦点距離）＝10.13
Ｆｎｏ．（Ｆナンバー）＝2.88
２ω（画角）＝181.00
【００４６】
（レンズデータ）
ｒ1＝52.649
ｄ1＝2.000    ｎｄ1＝1.835    νｄ1＝42.72
ｒ2＝13.727
ｄ2＝18.639
ｒ3＝864.452
ｄ3＝1.500    ｎｄ2＝1.835    νｄ2＝42.72
ｒ4＝16.178
ｄ4＝9.561
ｒ5＝24.957
ｄ5＝2.967    ｎｄ3＝1.847    νｄ3＝23.78
ｒ6＝-89.732
ｄ6＝8.000
ｒ7＝∞（絞り）
ｄ7＝2.000
ｒ8＝-385.019
ｄ8＝1.000    ｎｄ4＝1.835    νｄ4＝42.72
ｒ9＝14.251
ｄ9＝3.498    ｎｄ5＝1.569    νｄ5＝56.04
ｒ10＝-37.816
ｄ10＝0.200
ｒ11＝-712.655
ｄ11＝4.435    ｎｄ6＝1.517    νｄ6＝64.20
ｒ12＝-10.052
ｄ12＝1.000    ｎｄ7＝1.847    νｄ7＝23.78
ｒ13＝-25.161
ｄ13＝0.200
ｒ14＝94.658
ｄ14＝5.000    ｎｄ8＝1.517    νｄ8＝64.20
ｒ15＝-19.165
ｄ15＝35.000
ｒ16＝∞（結像面）
【００４７】
（条件式（１）に関する数値）
Ｇｎ１Ｂ（第１レンズＬ211から第２レンズＬ212までの空気間隔）＝18.64
｜ｆ１｜／Ｇｎ１Ｂ＝618.81
【００４８】
（条件式（２）に関する数値）
Ｇｎ２Ｂ（第２レンズＬ212から第３レンズＬ213までの空気間隔）＝9.56
Σｄ（光学系全長）＝60.00
（Ｇｎ１Ｂ＋Ｇｎ２Ｂ）／Σｄ＝0.47
【００４９】
（条件式（３）に関する数値）
ＢＦ（バックフォーカス）＝35.00
ｆ１（前群Ｇ21の焦点距離）＝-11533.60
ＢＦ／（ｆ／｜ｆ１｜）＝39848.14
【００５０】
図４は、実施例２にかかる魚眼レンズのｄ線（λ＝５８７．５６ｎｍ）に対する諸収差図である。なお、非点収差図におけるＳ，Ｍは、それぞれサジタル像面、メリディオナル像面に対する収差を表す。また、歪曲収差図では、等立体角射影方式（Ｙ＝２×ｆ×ｓｉｎ（θ／２)）によるズレ量を表示している（Ｙ：像高、ｆ：光学系全系の焦点距離、θ：半画角）。
【実施例３】
【００５１】
図５は、実施例３にかかる魚眼レンズの構成を示す光軸に沿う断面図である。この魚眼レンズは、図示しない物体側から順に、負の屈折力を有する前群Ｇ31と、光学的絞りＳと、正の屈折力を有する後群Ｇ32と、を備えている。後群Ｇ32は、前群Ｇ31に対して間隔をあけて配置されている。
【００５２】
前群Ｇ31は、物体側から順に、負の屈折力を有する第１レンズＬ311と、負の屈折力を有する第２レンズＬ312と、正の屈折力を有する第３レンズＬ313と、が配置されて構成される。
【００５３】
後群Ｇ32は、物体側から順に、負の屈折力を有する第１レンズＬ321と、正の屈折力を有する第２レンズＬ322と、正の屈折力を有する第３レンズＬ323と、負の屈折力を有する第４レンズＬ324と、正の屈折力を有する第５レンズＬ325と、が配置されて構成される。第１レンズＬ321と第２レンズＬ322とは、接合されている。また、第３レンズＬ323と第４レンズＬ324とも、接合されている。
【００５４】
以下、実施例３にかかる魚眼レンズに関する各種数値データを示す。
【００５５】
ｆ（魚眼レンズ全系の焦点距離）＝9.71
Ｆｎｏ．（Ｆナンバー）＝2.89
２ω（画角）＝181.00
【００５６】
（レンズデータ）
ｒ1＝41.319
ｄ1＝2.000    ｎｄ1＝1.835    νｄ1＝42.72
ｒ2＝11.869
ｄ2＝14.730
ｒ3＝-169.463
ｄ3＝1.500    ｎｄ2＝1.835    νｄ2＝42.72
ｒ4＝16.222
ｄ4＝9.981
ｒ5＝28.509
ｄ5＝3.850    ｎｄ3＝1.847    νｄ3＝23.78
ｒ6＝-61.058
ｄ6＝8.000
ｒ7＝∞（絞り）
ｄ7＝2.000
ｒ8＝158.181
ｄ8＝1.000    ｎｄ4＝1.835    νｄ4＝42.72
ｒ9＝10.937
ｄ9＝4.601    ｎｄ5＝1.569    νｄ5＝56.04
ｒ10＝-18.731
ｄ10＝0.200
ｒ11＝106.697
ｄ11＝5.095    ｎｄ6＝1.517    νｄ6＝64.20
ｒ12＝-9.051
ｄ12＝1.000    ｎｄ7＝1.904    νｄ7＝31.32
ｒ13＝-59.451
ｄ13＝0.200
ｒ14＝-124.297
ｄ14＝5.844    ｎｄ8＝1.517    νｄ8＝64.20
ｒ15＝-12.181
ｄ15＝35.000
ｒ16＝∞（結像面）
【００５７】
（条件式（１）に関する数値）
Ｇｎ１Ｂ（第１レンズＬ311から第２レンズＬ312までの空気間隔）＝14.73
｜ｆ１｜／Ｇｎ１Ｂ＝12.36
【００５８】
（条件式（２）に関する数値）
Ｇｎ２Ｂ（第２レンズＬ312から第３レンズＬ313までの空気間隔）＝9.98
Σｄ（光学系全長）＝60.00
（Ｇｎ１Ｂ＋Ｇｎ２Ｂ）／Σｄ＝0.41
【００５９】
（条件式（３）に関する数値）
ＢＦ（バックフォーカス）＝35.00
ｆ１（前群Ｇ31の焦点距離）＝-182.13
ＢＦ／（ｆ／｜ｆ１｜）＝656.65
【００６０】
図６は、実施例３にかかる魚眼レンズのｄ線（λ＝５８７．５６ｎｍ）に対する諸収差図である。なお、非点収差図におけるＳ，Ｍは、それぞれサジタル像面、メリディオナル像面に対する収差を表す。また、歪曲収差図では、等立体角射影方式（Ｙ＝２×ｆ×ｓｉｎ（θ／２)）によるズレ量を表示している（Ｙ：像高、ｆ：光学系全系の焦点距離、θ：半画角）。
【実施例４】
【００６１】
図７は、実施例４にかかる魚眼レンズの構成を示す光軸に沿う断面図である。この魚眼レンズは、図示しない物体側から順に、負の屈折力を有する前群Ｇ41と、光学的絞りＳと、正の屈折力を有する後群Ｇ42と、を備えている。後群Ｇ42は、前群Ｇ41に対して間隔をあけて配置されている。
【００６２】
前群Ｇ41は、物体側から順に、負の屈折力を有する第１レンズＬ411と、負の屈折力を有する第２レンズＬ412と、正の屈折力を有する第３レンズＬ413と、が配置されて構成される。
【００６３】
後群Ｇ42は、物体側から順に、負の屈折力を有する第１レンズＬ421と、正の屈折力を有する第２レンズＬ422と、正の屈折力を有する第３レンズＬ423と、負の屈折力を有する第４レンズＬ424と、正の屈折力を有する第５レンズＬ425と、が配置されて構成される。第１レンズＬ421と第２レンズＬ422とは、接合されている。また、第３レンズＬ423と第４レンズＬ424とも、接合されている。
【００６４】
以下、実施例４にかかる魚眼レンズに関する各種数値データを示す。
【００６５】
ｆ（魚眼レンズ全系の焦点距離）＝10.31
Ｆｎｏ．（Ｆナンバー）＝2.88
２ω（画角）＝181.00
【００６６】
（レンズデータ）
ｒ1＝61.013
ｄ1＝2.000    ｎｄ1＝1.773    νｄ1＝49.62
ｒ2＝13.628
ｄ2＝16.466
ｒ3＝190.095
ｄ3＝1.500    ｎｄ2＝1.773    νｄ2＝49.62
ｒ4＝17.569
ｄ4＝12.394
ｒ5＝27.079
ｄ5＝2.743    ｎｄ3＝1.847    νｄ3＝23.78
ｒ6＝-187.828
ｄ6＝8.000
ｒ7＝∞（絞り）
ｄ7＝2.000
ｒ8＝-114.164
ｄ8＝1.000    ｎｄ4＝1.835    νｄ4＝42.72
ｒ9＝15.547
ｄ9＝3.440    ｎｄ5＝1.569    νｄ5＝56.04
ｒ10＝-32.849
ｄ10＝0.200
ｒ11＝6833.044
ｄ11＝4.058    ｎｄ6＝1.517    νｄ6＝64.20
ｒ12＝-11.254
ｄ12＝1.000    ｎｄ7＝1.847    νｄ7＝23.78
ｒ13＝-26.607
ｄ13＝0.200
ｒ14＝72.111
ｄ14＝5.000    ｎｄ8＝1.517    νｄ8＝64.20
ｒ15＝-21.587
ｄ15＝35.000
ｒ16＝∞（結像面）
【００６７】
（条件式（１）に関する数値）
Ｇｎ１Ｂ（第１レンズＬ411から第２レンズＬ412までの空気間隔）＝16.47
｜ｆ１｜／Ｇｎ１Ｂ＝102.66
【００６８】
（条件式（２）に関する数値）
Ｇｎ２Ｂ（第２レンズＬ412から第３レンズＬ413までの空気間隔）＝12.39
Σｄ（光学系全長）＝60.00
（Ｇｎ１Ｂ＋Ｇｎ２Ｂ）／Σｄ＝0.48
【００６９】
（条件式（３）に関する数値）
ＢＦ（バックフォーカス）＝35.00
ｆ１（前群Ｇ41の焦点距離）＝-1690.40
ＢＦ／（ｆ／｜ｆ１｜）＝5740.12
【００７０】
図８は、実施例４にかかる魚眼レンズのｄ線（λ＝５８７．５６ｎｍ）に対する諸収差図である。なお、非点収差図におけるＳ，Ｍは、それぞれサジタル像面、メリディオナル像面に対する収差を表す。また、歪曲収差図では、等立体角射影方式（Ｙ＝２×ｆ×ｓｉｎ（θ／２)）によるズレ量を表示している（Ｙ：像高、ｆ：光学系全系の焦点距離、θ：半画角）。
【実施例５】
【００７１】
図９は、実施例５にかかる魚眼レンズの構成を示す光軸に沿う断面図である。この魚眼レンズは、図示しない物体側から順に、負の屈折力を有する前群Ｇ51と、光学的絞りＳと、正の屈折力を有する後群Ｇ52と、を備えている。後群Ｇ52は、前群Ｇ51に対して間隔をあけて配置されている。
【００７２】
前群Ｇ51は、物体側から順に、負の屈折力を有する第１レンズＬ511と、負の屈折力を有する第２レンズＬ512と、正の屈折力を有する第３レンズＬ513と、正の屈折力を有する第４レンズＬ514と、負の屈折力を有する第５レンズＬ515と、が配置されて構成される。第２レンズＬ512と第３レンズＬ513とは、接合されている。第４レンズＬ514の両面および第５レンズＬ515の両面には、それぞれ非球面が形成されている。
【００７３】
後群Ｇ52は、物体側から順に、負の屈折力を有する第１レンズＬ521と、正の屈折力を有する第２レンズＬ522と、負の屈折力を有する第３レンズＬ523と、正の屈折力を有する第４レンズＬ524と、負の屈折力を有する第５レンズＬ525と、正の屈折力を有する第６レンズＬ526と、が配置されて構成される。第１レンズＬ521と第２レンズＬ522とは、接合されている。また、第３レンズＬ523と第４レンズＬ524と第５レンズＬ525とも、接合されている。
【００７４】
以下、実施例５にかかる魚眼レンズに関する各種数値データを示す。
【００７５】
ｆ（魚眼レンズ全系の焦点距離）＝10.00
Ｆｎｏ．（Ｆナンバー）＝1.84
２ω（画角）＝181.00
【００７６】
（レンズデータ）
ｒ1＝55.944
ｄ1＝2.000    ｎｄ1＝1.835    νｄ1＝42.72
ｒ2＝18.000
ｄ2＝18.000
ｒ3＝-129.530
ｄ3＝1.800    ｎｄ2＝1.835    νｄ2＝42.72
ｒ4＝12.000
ｄ4＝3.853    ｎｄ3＝1.593    νｄ3＝35.45
ｒ5＝18.690
ｄ5＝7.402
ｒ6＝52.952（非球面）
ｄ6＝3.577    ｎｄ4＝1.821    νｄ4＝24.06
ｒ7＝-26.214（非球面）
ｄ7＝5.885
ｒ8＝70.904（非球面）
ｄ8＝1.800    ｎｄ5＝0.182    νｄ5＝24.06
ｒ9＝55.352（非球面）
ｄ9＝2.500
ｒ10＝∞（絞り）
ｄ10＝2.000
ｒ11＝-33.525
ｄ11＝1.000    ｎｄ6＝1.835    νｄ6＝42.72
ｒ12＝22.892
ｄ12＝4.540    ｎｄ7＝1.517    νｄ7＝64.20
ｒ13＝-29.656
ｄ13＝0.200
ｒ14＝51.093
ｄ14＝1.000    ｎｄ8＝1.847    νｄ8＝23.78
ｒ15＝23.535
ｄ15＝7.457    ｎｄ9＝1.517    νｄ9＝64.20
ｒ16＝-13.647
ｄ16＝1.800    ｎｄ10＝1.847    νｄ10＝23.78
ｒ17＝-22.100
ｄ17＝0.100
ｒ18＝67.935
ｄ18＝5.086    ｎｄ11＝1.639    νｄ11＝55.45
ｒ19＝-35.590
ｄ19＝35.000
ｒ20＝∞（結像面）
【００７７】
円錐係数（ｋ）および非球面係数（Ａ，Ｂ，Ｃ，Ｄ）
（第６面）
ｋ＝0，
Ａ＝7.7924×10-6，Ｂ＝2.3492×10-7，
Ｃ＝-1.0597×10-9，Ｄ＝-9.1928×10-13
（第７面）
ｋ＝0，
Ａ＝5.7805×10-5，Ｂ＝-9.1061×10-8，
Ｃ＝-4.6051×10-10，Ｄ＝1.7741×10-13
（第８面）
ｋ＝0，
Ａ＝2.9260×10-4，Ｂ＝-2.2708×10-6，
Ｃ＝1.4574×10-8，Ｄ＝-8.1449×10-11
（第９面）
ｋ＝0，
Ａ＝2.5034×10-4，Ｂ＝-1.7984×10-6，
Ｃ＝1.0737×10-8，Ｄ＝-8.0718×10-11
【００７８】
（条件式（１）に関する数値）
Ｇｎ１Ｂ（第１レンズＬ511から第２レンズＬ512までの空気間隔）＝18.00
｜ｆ１｜／Ｇｎ１Ｂ＝11.12
【００７９】
（条件式（２）に関する数値）
Ｇｎ２Ｂ（第３レンズＬ513から第４レンズＬ514までの空気間隔）＝7.40
Σｄ（光学系全長）＝70.00
（Ｇｎ１Ｂ＋Ｇｎ２Ｂ）／Σｄ＝0.36
【００８０】
（条件式（３）に関する数値）
ＢＦ（バックフォーカス）＝35.00
ｆ１（前群Ｇ51の焦点距離）＝-200.10
ＢＦ／（ｆ／｜ｆ１｜）＝700.35
【００８１】
図１０は、実施例５にかかる魚眼レンズのｄ線（λ＝５８７．５６ｎｍ）に対する諸収差図である。なお、非点収差図におけるＳ，Ｍは、それぞれサジタル像面、メリディオナル像面に対する収差を表す。また、歪曲収差図では、等立体角射影方式（Ｙ＝２×ｆ×ｓｉｎ（θ／２)）によるズレ量を表示している（Ｙ：像高、ｆ：光学系全系の焦点距離、θ：半画角）。
【００８２】
なお、上記各実施例中の数値データにおいて、ｒ1，ｒ2，・・・・は各レンズ、絞り面の曲率半径、ｄ1，ｄ2，・・・・は各レンズ、絞りの肉厚またはそれらの面間隔、ｎｄ1，ｎｄ2，・・・・は各レンズのｄ線（λ＝５８７．５６ｎｍ）に対する屈折率、νｄ1，νｄ2，・・・・は各レンズのｄ線（λ＝５８７．５６ｎｍ）に対するアッベ数を示している。そして、長さの単位はすべて「ｍｍ」、角度の単位はすべて「°」である。
【００８３】
また、上記各非球面形状は、非球面の深さをＺ、曲率をｃ（１／ｒ）、光軸からの高さをｈ、円錐係数をｋ、４次，６次，８次，１０次の非球面係数をそれぞれＡ，Ｂ，Ｃ，Ｄとし、光の進行方向を正とするとき、以下に示す式により表される。
【００８４】
【数１】
2013238684.tif 000003
【００８５】
以上説明したように、上記各実施例の魚眼レンズは、上記各条件式を満足することにより、十分なバックフォーカスを有するとともに、高い光学性能を備えた、小型の魚眼レンズになる。この魚眼レンズは、小型のデジタルカメラ、特にデジタル一眼レフカメラに適している。また、この魚眼レンズは、デジタルカメラのみならず、従来の３５ｍｍフィルムサイズの一眼レフカメラにも搭載することができる。なお、適宜非球面が形成されたレンズや接合レンズを配置することで、少ないレンズ枚数でより収差補正能力を向上させることができる。
【産業上の利用可能性】
【００８６】
以上のように、本発明にかかる魚眼レンズは、小型で、高い光学性能が要求されるデジタルカメラに有用であり、特に、デジタル一眼レフカメラに適している。
【符号の説明】
【００８７】
Ｇ11，Ｇ21，Ｇ31，Ｇ41，Ｇ51  前群
Ｇ12，Ｇ22，Ｇ32，Ｇ42，Ｇ52  後群
Ｌ111，Ｌ121，Ｌ211，Ｌ221，Ｌ311，Ｌ321，Ｌ411，Ｌ421，Ｌ511，Ｌ521  第１レンズ
Ｌ112，Ｌ122，Ｌ212，Ｌ222，Ｌ312，Ｌ322，Ｌ412，Ｌ422，Ｌ512，Ｌ522  第２レンズ
Ｌ113，Ｌ123，Ｌ213，Ｌ223，Ｌ313，Ｌ323，Ｌ413，Ｌ423，Ｌ513，Ｌ523  第３レンズ
Ｌ114，Ｌ124，Ｌ224，Ｌ324，Ｌ424，Ｌ514，Ｌ524  第４レンズ
Ｌ125，Ｌ225，Ｌ325，Ｌ425，Ｌ515，Ｌ525  第５レンズ
Ｌ526  第６レンズ
Ｓ  光学的絞り
【図１】
2013238684.tif 000004
【図２】
2013238684.tif 000005
【図３】
2013238684.tif 000006
【図４】
2013238684.tif 000007
【図５】
2013238684.tif 000008
【図６】
2013238684.tif 000009
【図７】
2013238684.tif 000010
【図８】
2013238684.tif 000011
【図９】
2013238684.tif 000012
【図１０】
2013238684.tif 000013